(57)【要約】【課題】印刷品質を低下させることなく用紙の印刷のスループットの低下を抑制することができる画像形成装置を提供する。【解決手段】ＭＦＰ１０１は、他の用紙の用紙幅が一の用紙の用紙幅より大きく、且つ一の用紙の用紙幅に対する他の用紙の用紙幅の増加量が設定された閾値より小さい場合、他の用紙の印刷を開始する前に印刷品質向上処理を実行しない。【選択図】図５
2017191231.tif 000002
【特許請求の範囲】
【請求項１】
搬送方向に直交する用紙幅が異なる複数の用紙に印刷を行う画像形成装置であって、
各前記用紙の前記用紙幅を示す情報を取得する用紙幅情報取得手段と、
一の前記用紙の印刷に後続して行われる他の前記用紙の前記用紙幅が前記一の用紙の前記用紙幅より大きい場合、前記他の用紙の印刷を開始する前に印刷エンジンの調整処理を実行する処理実行手段とを備え、
前記処理実行手段は、前記他の用紙の前記用紙幅が前記一の用紙の前記用紙幅より大きく、且つ前記一の用紙の前記用紙幅に対する前記他の用紙の前記用紙幅の増加量が設定された閾値より小さい場合、前記他の用紙の印刷を開始する前に前記印刷エンジンの調整処理を実行しないことを特徴とする画像形成装置。
【請求項２】
定着手段を更に備え、
前記印刷エンジンの調整処理は、前記定着手段に起因する印刷品質低下を防止するために前記定着手段へ施される処理であることを特徴とする請求項１記載の画像形成装置。
【請求項３】
前記印刷が行われない余白領域の情報を取得する余白情報取得手段を更に備え、
前記定着手段における前記一の用紙の前記搬送方向に沿う用紙端が通過した用紙端跡が前記他の用紙の余白領域を通過する場合、前記処理実行手段は、前記他の用紙の印刷を開始する前に前記印刷エンジンの調整処理を実行しないことを特徴とする請求項２記載の画像形成装置。
【請求項４】
前記余白領域の情報は前記用紙の前記用紙端からの余白幅の情報を含み、
各前記用紙は各前記用紙の前記用紙幅を二等分する中心位置を合わせるように搬送され、
前記閾値は前記余白幅の２倍の値であることを特徴とする請求項３記載の画像形成装置。
【請求項５】
前記搬送方向に直交する前記画像形成装置の印刷可能幅が設定され、
前記処理実行手段は、前記一の用紙の前記用紙幅が前記画像形成装置の印刷可能幅以上である場合、前記他の用紙の印刷を開始する前に前記印刷エンジンの調整処理を実行しないことを特徴とする請求項１乃至４のいずれか１項に記載の画像形成装置。
【請求項６】
搬送方向に直交する用紙幅が異なる複数の用紙に印刷を行う画像形成装置の制御方法であって、
各前記用紙の前記用紙幅を示す情報を取得する用紙幅情報取得ステップと、
一の前記用紙の印刷に後続して行われる他の前記用紙の前記用紙幅が前記一の用紙の前記用紙幅より大きい場合、前記他の用紙の印刷を開始する前に印刷エンジンの調整処理を実行する処理実行ステップとを有し、
前記処理実行ステップは、前記他の用紙の前記用紙幅が前記一の用紙の前記用紙幅より大きく、且つ前記一の用紙の前記用紙幅に対する前記他の用紙の前記用紙幅の増加量が設定された閾値より小さい場合、前記他の用紙の印刷を開始する前に前記印刷エンジンの調整処理を実行しないことを特徴とする画像形成装置の制御方法。
【請求項７】
搬送方向に直交する用紙幅が異なる複数の用紙に印刷を行う画像形成装置の制御方法をコンピュータに実行させるプログラムであって、
前記画像形成装置の制御方法は、
各前記用紙の前記用紙幅を示す情報を取得する用紙幅情報取得ステップと、
一の前記用紙の印刷に後続して行われる他の前記用紙の前記用紙幅が前記一の用紙の前記用紙幅より大きい場合、前記他の用紙の印刷を開始する前に印刷エンジンの調整処理を実行する処理実行ステップとを有し、
前記処理実行ステップは、前記他の用紙の前記用紙幅が前記一の用紙の前記用紙幅より大きく、且つ前記一の用紙の前記用紙幅に対する前記他の用紙の前記用紙幅の増加量が設定された閾値より小さい場合、前記他の用紙の印刷を開始する前に前記印刷エンジンの調整処理を実行しないことを特徴とするプログラム。
【発明の詳細な説明】
【技術分野】
【０００１】
本発明は、画像形成装置及びその制御方法、並びにプログラムに関する。
【背景技術】
【０００２】
複数の用紙に連続して印刷を行う画像形成装置としてのＭＦＰが知られている。ＭＦＰは感光ドラム、転写体、及び加熱部材を含む定着器を備え、感光体ドラムに形成されたトナー画像を転写体を介して各用紙に転写し、転写されたトナー画像を定着器の加熱処理及び加圧処理によって各用紙に定着させる。
【０００３】
ところで、ＭＦＰは、用紙サイズの異なる複数の用紙に連続して印刷することも可能であるが、一の用紙の印刷の後に一の用紙の用紙幅より大きい他の用紙の印刷を行うと、他の用紙における印刷品質が低下することがある。具体的に、ＭＦＰでは、一の用紙の搬送方向に沿う用紙端（以下、「搬送方向用紙端」という。）が通過した用紙端跡が定着器に残り、一の用紙の印刷後に他の用紙が定着器に搬送されると、他の用紙における用紙端跡が通過した部分にスジや光沢ムラが発生する。これに対応して、一の用紙の印刷後に連続して行われる他の用紙の用紙幅が一の用紙の用紙幅より大きい場合、他の用紙の印刷を一時中断し、スジや光沢ムラを解消するための制御処理を実行した後に他の用紙の印刷を開始する技術が知られている（例えば、特許文献１参照）。
【先行技術文献】
【特許文献】
【０００４】
【特許文献１】特開２０１３−２３１９２７号公報
【発明の概要】
【発明が解決しようとする課題】
【０００５】
しかしながら、従来のＭＦＰでは、他の用紙の用紙幅が一の用紙の用紙幅より大きいか否かのみに基づいて制御処理の実行が決定される。そのため、他の用紙の用紙幅が一の用紙の用紙幅より大きいにもかかわらず、定着器に残された用紙端跡が他の用紙の印刷においてスジや光沢ムラを発生させないような場合であっても、制御処理が実行される。その結果、必要以上に他の用紙の印刷が中断され、用紙の印刷のスループットが低下してしまうという問題が生じる。
【０００６】
本発明の目的は、印刷品質を低下させることなく用紙の印刷のスループットの低下を抑制することができる画像形成装置及びその制御方法、並びにプログラムを提供することにある。
【課題を解決するための手段】
【０００７】
上記目的を達成するために、本発明の画像形成装置は、搬送方向に直交する用紙幅が異なる複数の用紙に印刷を行う画像形成装置であって、各前記用紙の前記用紙幅を示す情報を取得する用紙幅情報取得手段と、一の前記用紙の印刷に後続して行われる他の前記用紙の前記用紙幅が前記一の用紙の前記用紙幅より大きい場合、前記他の用紙の印刷を開始する前に印刷エンジンの調整処理を実行する処理実行手段とを備え、前記処理実行手段は、前記他の用紙の前記用紙幅が前記一の用紙の前記用紙幅より大きく、且つ前記一の用紙の前記用紙幅に対する前記他の用紙の前記用紙幅の増加量が設定された閾値より小さい場合、前記他の用紙の印刷を開始する前に前記印刷エンジンの調整処理を実行しないことを特徴とする。
【発明の効果】
【０００８】
本発明によれば、印刷品質を低下させることなく用紙の印刷のスループットの低下を抑制することができる。
【図面の簡単な説明】
【０００９】
【図１】本発明の実施の形態に係る画像形成装置としてのＭＦＰの構成を概略的に示す断面図である。
【図２】図１におけるコントローラの構成を概略的に示すブロック図である。
【図３】図１のＭＦＰのソフトウェアモジュールの構成を概略的に示すブロック図である。
【図４】図１のＭＦＰで実行される印刷品質向上処理の一例を説明するための図である。
【図５】図１のＭＦＰで実行される印刷品質向上処理の実行制御処理の手順の一例を示すフローチャートである。
【図６】図５のステップＳ５０３の判別を説明するための図である。
【図７】図５の印刷品質向上処理の実行制御処理の変形例の手順を示すフローチャートである。
【図８】本実施の形態において印刷品質向上処理が実行されない場合を説明するための図である。
【発明を実施するための形態】
【００１０】
以下、本発明の実施の形態を図面を参照しながら詳述する。
【００１１】
図１は、本発明の実施の形態に係る画像形成装置としてのＭＦＰ１０１の構成を概略的に示す断面図である。
【００１２】
図１において、ＭＦＰ１０１は、コントローラ１０２、現像器１０３〜１０６、中間転写ベルト１０７、給紙デッキ１０８、及び定着器１０９を備える。定着器１０９は定着ローラー１１０及び加圧ローラー１１１を備える。
【００１３】
ＭＦＰ１０１は図示しない外部装置から印刷データを受信し、該印刷データに基づいて用紙に印刷を行う。ＭＦＰ１０１は用紙サイズの異なる複数の用紙に連続して印刷可能である。コントローラ１０２はＭＦＰ１０１全体を統括的に制御する。例えば、コントローラ１０２は外部装置から受信した印刷データに基づいて印刷を行ための画像データを生成する。現像器１０３〜１０６のそれぞれはＣ（シアン）、Ｍ（マゼンタ）、Ｙ（イエロー）、及びＫ（ブラック）の現像器である。各現像器１０３〜１０６はコントローラ１０２で生成された画像データを取得すると、該画像データに対応する画像を各現像器１０３〜１０６に設けられる図示しない感光ドラムに現像し、トナーを図示しない現像部に付着させる。また、各現像器１０３〜１０６は該現像部に付着したトナーを中間転写ベルト１０７に転写する。中間転写ベルト１０７は該トナーを給紙デッキ１０８から給紙された用紙に転写する。トナーが転写された用紙は定着器１０９に搬送される。例えば、異なる用紙幅の用紙が連続して搬送される場合、各用紙は該各用紙の用紙幅を二等分する中心位置を合わせるように定着器１０９に搬送される。定着器１０９はトナーが転写された用紙に対し、定着ローラー１１０及び加圧ローラー１１１によって加熱処理及び加圧処理を施してトナーを用紙に定着させる。
【００１４】
図２は、図１におけるコントローラ１０２の構成を概略的に示すブロック図である。
【００１５】
図２において、コントローラ１０２は、ＣＰＵ２０１、ＲＡＭ２０２、ＨＤＤ２０３、ＲＯＭ２０４、ネットワークＩ／Ｆ２０５、及び機器制御Ｉ／Ｆ２０６の各構成要素を備え、これらはシステムバス２０７を介して互いに接続されている。
【００１６】
ＣＰＵ２０１はＨＤＤ２０３やＲＯＭ２０４に格納された各プログラムを実行して後述するソフトウェアモジュール３００の各処理を行う。ＲＡＭ２０２はＣＰＵ２０１の作業領域として用いられ、また、ＲＡＭ２０２は各データの一時格納領域として用いられる。ＨＤＤ２０３は大容量の記憶装置であり、制御プログラム等を格納する。ＲＯＭ２０４は印刷装置の起動処理プログラム等を格納する。ネットワークＩ／Ｆ２０５は図示しない外部装置とデータ通信を行い、例えば、外部装置から印刷データを受信する。機器制御Ｉ／Ｆ２０６はＭＦＰ１０１に設けられる図示しないモーターや各センサー等の機器の駆動制御を行う。
【００１７】
図３は、図１のＭＦＰ１０１のソフトウェアモジュール３００の構成を概略的に示すブロック図である。
【００１８】
図３において、ソフトウェアモジュール３００は、印刷ジョブ管理モジュール３０１、印刷データ受信モジュール３０２、画像データ生成モジュール３０３、画像データ送信モジュール３０４、及び画像データ受信モジュール３０５を備える。また、ソフトウェアモジュール３００は、印刷制御モジュール３０６、画像形成モジュール３０７、給紙搬送制御モジュール３０８、及び定着制御モジュール３０９を備える。ソフトウェアモジュール３００の各処理は、ＣＰＵ２０１がＨＤＤ２０３やＲＯＭ２０４に格納された各プログラムを実行することによって行われる。
【００１９】
印刷ジョブ管理モジュール３０１は、外部装置から受信した印刷データを実行する印刷ジョブの管理を行う。印刷データ受信モジュール３０２はネットワークＩ／Ｆ２０５を介して外部装置から送信された印刷データを受信し、該印刷データをＲＡＭ２０２等に一時的に格納する。画像データ生成モジュール３０３は受信された印刷データを解析し、該印刷データにＲＩＰ処理を施して画像データを生成する。画像データは印刷される用紙単位等で生成され、印刷される用紙の用紙幅等の用紙サイズ情報や用紙の印刷領域を除く余白領域を示す情報等を含む。画像データはＲＡＭ２０２等に一時的に格納される。画像データ送信モジュール３０４は、ＲＡＭ２０２等に格納された画像データの実行を指示する制御コマンドを生成し、該制御コマンド及び画像データを画像データ受信モジュール３０５に送信する。画像データ受信モジュール３０５は受信された制御コマンドを印刷制御モジュール３０６に送信する。印刷制御モジュール３０６は受信された制御コマンドに基づいて画像形成モジュール３０７、給紙搬送制御モジュール３０８、及び定着制御モジュール３０９に印刷の実行を指示する。画像形成モジュール３０７は印刷の実行の指示として印刷制御モジュール３０６から画像データを受信すると、該画像データに基づいて露光、現像、転写、分離、及びクリーニングの各処理を実行する。給紙搬送制御モジュール３０８は図示しないモーター、クラッチ、ソレノイド、及び用紙検知センサー等を制御し、用紙の給紙搬送を制御する。定着制御モジュール３０９は定着器１０９の温度を制御し、用紙にトナーを定着させる定着処理を制御する。
【００２０】
次に、ＭＦＰ１０１で実行される印刷品質向上処理（印刷エンジンの調整処理）について説明する。印刷品質向上処理は、通常、一の用紙の印刷に後続して該一の用紙の用紙幅より大きい他の用紙を印刷する場合に行われる。なお、本実施の形態では、各用紙の用紙幅は、各用紙が定着器１０９に搬送される搬送方向に直交する用紙端の長さを示す。
【００２１】
ＭＦＰ１０１では、図４に示すように、用紙４０１の印刷の後に該用紙４０１の用紙幅より大きい用紙４０２の印刷を行うと、用紙４０２の印刷品質が低下することがある。例えば、ＭＦＰ１０１では、用紙４０１と同じ用紙幅の用紙を連続して大量に印刷した場合、定着ローラー１１０の表面に各用紙の搬送方向用紙端が通過した用紙端跡が残る。その後、用紙４０１の用紙幅より大きい用紙４０２が定着ローラー１１０に搬送されると、該用紙４０２における定着ローラー１１０の用紙端跡を通過した部分にスジが発生する。これに対応して、ＭＦＰ１０１では、用紙４０１の印刷後に該用紙４０１の用紙幅より大きい用紙４０２の印刷を行う場合、用紙４０２の印刷を開始する前に定着ローラー１１０の表面の研磨処理を行う。
【００２２】
また、ＭＦＰ１０１では、用紙４０１が定着ローラー１１０を通過した際に定着ローラー１１０における用紙４０１が通過した部分の熱が奪われる。そのため、定着ローラー１１０において、用紙４０１の搬送方向用紙端が通過した用紙端跡を境界に用紙４０１が通過した部分とそれ以外の部分とで温度差が生じてしまう。温度差が生じた状態の定着ローラー１１０に用紙４０１の用紙幅より大きい用紙４０２を搬送した場合、用紙４０２の印刷において定着不良が生じて光沢ムラが発生してしまう。これに対応して、ＭＦＰ１０１では、用紙４０１の印刷後に該用紙４０１の用紙幅より大きい用紙４０２の印刷を行う場合、用紙４０２の印刷を開始する前に定着ローラー１１０の表面温度を均一にする温度制御処理を行う。本実施の形態では、定着ローラー１１０の表面の研磨処理及び温度制御処理を含めて印刷品質向上処理と定義し、印刷品質向上処理は印刷品質低下を防止するために定着器１０９へ施される処理である。なお、本実施の形態における印刷品質向上処理は、定着器１０９に関する調整処理の他に、図示しない感光ドラムの調整や色調整に関するキャリブレーション処理等を含んでもよい。
【００２３】
図５は、図１のＭＦＰ１０１で実行される印刷品質向上処理の実行制御処理の手順を示すフローチャートである。
【００２４】
図５の処理は、ＣＰＵ２０１がＨＤＤ２０３やＲＯＭ２０４に格納された各プログラムを実行することによって行われる。図５の処理は、一の用紙の印刷後に他の用紙を印刷する場合を前提とし、一の用紙の印刷が行われてから他の用紙の印刷を開始するまでの間に実行される。
【００２５】
ここで、一の用紙の用紙サイズが定形サイズ、例えば、Ｂ５サイズ（２５７ｍｍ×１８２ｍｍ）であり、他の用紙の用紙サイズが一の用紙の用紙幅と同じカスタムサイズ（２５７ｍｍ×１９６ｍｍ）である場合について説明する。この場合、用紙幅が同じであるので、一の用紙の搬送方向用紙端が定着ローラー１１０を通過した用紙端跡が該定着ローラー１１０に残っても、定着ローラー１１０において他の用紙の印刷領域が該用紙端跡を通過することはない。そのため、他の用紙の印刷品質が低下することはない。一方、一の用紙に印刷する印刷データ及び他の用紙に印刷する印刷データの各々を生成する場合、ＭＦＰ１０１では、用紙サイズの変換処理を行う際に用紙の種別に応じて異なる変換値を用いて変換するので、変換誤差が生じてしまう。そのため、例えば、一の用紙及び他の用紙の用紙幅がいずれも２５７ｍｍであっても、一の用紙の印刷データの用紙幅が２５７ｍｍとして生成され、他の用紙の印刷データの用紙幅が２５７．１８ｍｍとして生成されてしまう場合がある。このような印刷データをそれぞれ受信した場合、従来のＭＦＰでは、他の用紙の印刷品質が低下することがないにもかかわらず、他の用紙の印刷が開始される前に印刷品質向上処理が実行されてしまう。そのため、必要以上に他の用紙の印刷が中断され、用紙の印刷のスループットが低下してしまうという問題が生じる。
【００２６】
これに対応して、本実施の形態では、他の用紙の用紙幅が一の用紙の用紙幅より大きく、且つ一の用紙の用紙幅に対する他の用紙の用紙幅の増加量が設定された閾値より小さい場合、他の用紙の印刷を開始する前に印刷品質向上処理が実行されない。
【００２７】
図５において、まず、ＣＰＵ２０１は画像データ受信モジュール３０５で受信された他の用紙の画像データから用紙サイズ情報を取得する（ステップＳ５０１）（用紙幅情報取得手段、余白情報取得手段）。用紙サイズ情報は他の用紙の用紙幅や他の用紙の余白領域を示す情報を含む。次いで、ＣＰＵ２０１は取得された用紙サイズ情報に含まれる他の用紙の用紙幅が直前に印刷された一の用紙の用紙幅と同じであるか否かを判別する（ステップＳ５０２）。
【００２８】
ステップＳ５０２の判別の結果、他の用紙の用紙幅が直前に印刷された一の用紙の用紙幅と同じであるとき、ＣＰＵ２０１は本処理を終了する。一方、ステップＳ５０２の判別の結果、他の用紙の用紙幅が直前に印刷された一の用紙の用紙幅と異なるとき、ＣＰＵ２０１は一の用紙の用紙幅に対する他の用紙の用紙幅の増加量が予め設定された閾値以上であるか否かを判別する（ステップＳ５０３）。閾値は各用紙の印刷において設定された余白領域の余白幅の２倍の値である。例えば、余白幅が２．５ｍｍに設定されている場合、閾値は５．０ｍｍとなる。余白幅は各用紙における搬送方向用紙端から印刷領域までの長さである。
【００２９】
ステップＳ５０３の判別の結果、一の用紙の用紙幅に対する他の用紙の用紙幅の増加量が予め設定された閾値以上であるとき、ＣＰＵ２０１は印刷品質向上処理を実行する（ステップＳ５０４）（処理実行手段）。例えば、図６（ａ）に示すように、一の用紙である用紙６０１の用紙幅に対し、他の用紙である用紙６０２の用紙幅の増加量が予め設定された閾値以上である場合、定着器１０９における用紙６０１の搬送方向用紙端が通過した用紙端跡は用紙６０２の印刷領域を通過する可能性が高い。この場合、用紙６０２の印刷品質が低下してしまう可能性が極めて高いので、ＣＰＵ２０１は他の用紙の印刷を開始する前に印刷品質向上処理を実行する。その後、ＣＰＵ２０１は本処理を終了する。
【００３０】
ステップＳ５０３の判別の結果、一の用紙の用紙幅に対する他の用紙の用紙幅の増加量が予め設定された閾値より小さいとき、ＣＰＵ２０１は印刷品質向上処理を実行しない。例えば、図６（ｂ）に示すように、一の用紙である用紙６０１の用紙幅に対し、他の用紙である用紙６０３の用紙幅の増加量が予め設定された閾値より小さい場合、定着器１０９における用紙６０１の搬送方向用紙端が通過した用紙端跡は用紙６０３の余白領域を通過する可能性が高い。この場合、印刷品質向上処理を実行しなくても用紙６０３の印刷品質が低下しないので、ＣＰＵ２０１は印刷品質向上処理を実行しない。その後、ＣＰＵ２０１は本処理を終了する。図５の処理を完了すると、ＣＰＵ２０１は他の用紙の印刷を開始する。
【００３１】
上述した図５の処理によれば、他の用紙の用紙幅が一の用紙の用紙幅より大きく、且つ一の用紙の用紙幅に対する他の用紙の用紙幅の増加量が設定された閾値より小さい場合、他の用紙の印刷を開始する前に印刷品質向上処理が実行されない。これにより、印刷品質向上処理の実行に伴って他の用紙の印刷が中断される頻度を減らすことができ、もって、スループットの低下を抑制することができる。また、一の用紙の用紙幅に対する他の用紙の用紙幅の増加量が設定された閾値より小さい場合、定着器１０９における一の用紙の用紙端が通過した用紙端跡は他の用紙の余白領域を通過する可能性が高いため、印刷品質向上処理を実行しなくても他の用紙の印刷品質が低下しない。以上より、印刷品質を低下させることなく一の他の用紙の印刷のスループットの低下を抑制することができる。
【００３２】
また、上述した図５の処理では、印刷品質向上処理は定着器１０９に起因する印刷品質低下を防止するために定着器１０９へ施される処理であるため、定着器１０９へ処理が施されることに起因して他の用紙の印刷が中断される頻度を減らすことができる。
【００３３】
さらに、上述した図５の処理では、定着器１０９における一の用紙の搬送方向用紙端が通過した用紙端跡が一の用紙の余白領域を通過する場合、他の用紙の印刷を開始する前に印刷品質向上処理が実行されない。ここで、一の用紙の印刷を実行した場合、一の用紙の搬送方向用紙端が通過した用紙端跡が定着器１０９に残る。その後、他の用紙が定着器１０９に搬送されて印刷が実行されると、他の用紙における該用紙端跡が通過した部分にスジや光沢ムラが発生することがある。しかしながら、用紙端跡が他の用紙における余白領域を通過する場合、当該余白領域には印刷が行われないので、スジや光沢ムラが発生しない。そのため、用紙端跡が他の用紙における余白領域を通過する場合、印刷品質向上処理を実行する必要がない。これに対して、本実施の形態では、定着器１０９における一の用紙の搬送方向用紙端が通過した用紙端跡が他の用紙の余白領域を通過する場合、他の用紙の印刷を開始する前に印刷品質向上処理が実行されない。これにより、不要な印刷品質向上処理の実行を避けることができる。
【００３４】
上述した図５の処理では、各用紙は各用紙の用紙幅を二等分する中心位置を合わせるように搬送され、閾値は余白幅の２倍の値である。ここで、各用紙が各用紙の用紙幅を二等分する中心位置を合わせて搬送されるＭＦＰ１０１において、一の用紙の用紙幅に対する他の用紙の用紙幅の増加量が余白幅の２倍より小さい場合、定着器１０９における用紙端跡が他の用紙の余白領域を通過する。その結果、他の用紙の印刷品質が低下しない。これに対して、本実施の形態では、閾値は余白幅の２倍の値である。すなわち、一の用紙の用紙幅に対する他の用紙の用紙幅の増加量が余白幅の２倍の値より小さい場合、他の用紙の印刷を開始する前に印刷品質向上処理が実行されない。これにより、印刷品質を低下させることなく不要な印刷品質向上処理の実行を確実に避けることができる。
【００３５】
以上、本発明について、上述した実施の形態を用いて説明したが、本発明は上述した実施の形態に限定されるものではない。
【００３６】
例えば、予め設定された最大印刷可能幅に基づいて印刷品質向上処理を実行するか否かを決定してもよい。
【００３７】
図７は、図５の印刷品質向上処理の実行制御処理の変形例の手順を示すフローチャートである。
【００３８】
図７の処理は、ＣＰＵ２０１がＨＤＤ２０３やＲＯＭ２０４に格納された各プログラムを実行することによって行われる。図７の処理は、一の用紙の印刷後に他の用紙を印刷する場合を前提とし、一の用紙の印刷が行われてから他の用紙の印刷を開始するまでの間に実行される。
【００３９】
図７の処理において、まず、ＣＰＵ２０１は図５のステップＳ５０１の処理を行う。次いで、ＣＰＵ２０１はＭＦＰ１０１の各機器の動作可能範囲等によって予め設定された図８のＭＦＰ１０１の最大印刷可能幅８０１に基づいて印刷品質向上処理を実行するか否かを判別する。具体的に、ＣＰＵ２０１は直前に印刷された一の用紙の用紙幅がＭＦＰ１０１の最大印刷可能幅８０１以上であるか否かを判別する（ステップＳ７０１）。
【００４０】
ステップＳ７０１の判別の結果、一の用紙の用紙幅が、図８に示すように、ＭＦＰ１０１の最大印刷可能幅８０１以上（印刷可能幅以上）であるとき、ＣＰＵ２０１は本処理を終了する。
【００４１】
ステップＳ７０１の判別の結果、一の用紙の用紙幅がＭＦＰ１０１の最大印刷可能幅８０１より小さいとき、ＣＰＵ２０１は図５のステップＳ５０２以降の処理を行う。
【００４２】
上述した図７の処理では、一の用紙の用紙幅がＭＦＰ１０１の最大印刷可能幅８０１以上である場合、用紙端跡が他の用紙の印刷領域を通過することがなく、他の用紙の印刷品質が低下しない。したがって、一の用紙の用紙幅がＭＦＰ１０１の最大印刷可能幅８０１以上である場合、他の用紙の印刷を開始する前に印刷品質向上処理を実行しないことにより、他の用紙の印刷品質を低下させることなく不要な印刷品質向上処理の実行を確実に避けることができる。また、一の用紙の用紙幅及び他の用紙の用紙幅を比較する必要を無くすことができるため、さらにスループットを向上することができる。
【００４３】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４４】
１０１  ＭＦＰ
１０９  定着器
８０１  最大印刷可能幅
【図１】
2017191231.tif 000003
【図２】
2017191231.tif 000004
【図３】
2017191231.tif 000005
【図４】
2017191231.tif 000006
【図５】
2017191231.tif 000007
【図６】
2017191231.tif 000008
【図７】
2017191231.tif 000009
【図８】
2017191231.tif 000010